(57)【要約】【課題】  停電に関する情報などを電柱に関連付けて的確かつ迅速に知得可能にする。【解決手段】  各需要家Ｕに関する情報と各電柱Ｐに関する情報とを、配電系統を含む地図と関連付けて記憶する系統データベース３１と、停電エリアを地図上に図示した停電表示図を生成する表示図生成部３２と、需要家Ｕがユーザ端末７を介してアクセス可能なウェブサーバ６と、を備える。ウェブサーバ６は、ユーザ端末７からの指令に応じて停電表示図をユーザ端末７に表示するとともに、ユーザ端末７によって地図上で指定された需要家宅Ｃが該ユーザ端末７の需要家宅Ｃの場合に、該需要家宅Ｃに引き込んでいる電柱Ｐを地図上に示す。【選択図】  図１
2019087201.tif 000002
【特許請求の範囲】
【請求項１】
配電線事故が発生した場合に、配電系統から停電エリアを切り離す配電自動化設備と、
各需要家に関する情報と、前記各需要家宅に引き込んでいる電柱に関する情報とを、配電系統を含む地図と関連付けて記憶する系統データベースと、
前記配電自動化設備による停電エリアを前記地図上に図示した、停電表示図を生成する表示図生成手段と、
前記需要家がユーザ端末を介してアクセス可能なウェブサーバと、を備え、
前記ウェブサーバは、前記ユーザ端末からの指令に応じて前記表示図生成手段で生成された前記停電表示図を前記ユーザ端末に表示するとともに、前記ユーザ端末によって前記地図上で指定された需要家宅が該ユーザ端末の需要家宅の場合に、前記系統データベースに基づいて該需要家宅に引き込んでいる電柱を前記地図上に示す、
ことを特徴とする停電情報提供システム。
【請求項２】
前記ウェブサーバは、前記ユーザ端末によって前記地図上で指定された電柱の識別情報を、前記系統データベースに基づいて前記ユーザ端末に表示する、
ことを特徴とする請求項１に記載の停電情報提供システム。
【請求項３】
前記ウェブサーバは、前記ユーザ端末に前記電柱の識別情報が表示された後に、前記ユーザ端末から該電柱に関する発見情報を受け入れ可能となっている、
ことを特徴とする請求項２に記載の停電情報提供システム。
【請求項４】
電力会社の供給側端末と通信可能な停電情報管理装置を備え、該停電情報管理装置は、前記供給側端末からの指令に応じて前記表示図生成手段で生成された前記停電表示図を前記供給側端末に表示するとともに、前記供給側端末によって前記地図上で指定された電柱から引き込まれている全需要家に関する情報を、前記系統データベースに基づいて前記供給側端末に表示する、
ことを特徴とする請求項１から３のいずれか１項に記載の停電情報提供システム。
【発明の詳細な説明】
【技術分野】
【０００１】
この発明は、停電に関する情報を需要家等に提供するための停電情報提供システムに関する。
【背景技術】
【０００２】
従来、停電が発生した場合、配電自動化システムで特定された停電エリアに基づいて、停電している市区町村や停電戸数などを、コールセンタの営業ポータルサイトやホームページに表示している。この際、営業ポータルサイトには、停電している開閉器区間内やバンク内（変圧器内）にある需要家数が表示され、ホームページには、１００戸単位での大まかな停電戸数が表示される。
【０００３】
このように、従来では停電戸数のみが表示されるため、停電している範囲や需要家を的確かつ迅速に把握することが困難であった。このため、配電線事故による停電範囲を需要家宅単位に把握することができる、という停電情報処理システムが知られている（例えば、特許文献１参照。）。このシステムは、配電自動化システムから停電情報を受信し、この停電情報の停電区間番号から停電対象の需要家住所を含む停電顧客情報を生成し、この停電顧客情報に基づいて停電対象の需要家宅を示す戸別詳細地図を顧客業務端末に表示するものである。
【先行技術文献】
【特許文献】
【０００４】
【特許文献１】特開２０１２−２２３９９号公報
【発明の概要】
【発明が解決しようとする課題】
【０００５】
ところで、電力会社の作業員などは、担当地域における電柱位置などを把握しており、電柱番号を頼りに現地に向ったり作業対象を特定したりすることが多い。このため、停電の復旧作業などにおいても、電柱番号を頼りに現地に向かうことになるが、この際、その電柱からどの需要家に引き込まれているかを把握できれば、対象の電柱や需要家を間違えることなく作業などを円滑に行うことが可能となる。
【０００６】
一方、需要家は、どの電柱から引き込まれているかを知らないことが多いが、電柱番号を容易に知ることができれば、その電柱の状態を確認したり、異変が生じた場合に電力会社に連絡したりすることが可能となる。
【０００７】
そこでこの発明は、停電に関する情報などを電柱に関連付けてより的確かつ迅速に知得可能にする、停電情報提供システムを提供することを目的とする。
【課題を解決するための手段】
【０００８】
上記課題を解決するために、請求項１の発明は、配電線事故が発生した場合に、配電系統から停電エリアを切り離す配電自動化設備と、各需要家に関する情報と、前記各需要家宅に引き込んでいる電柱に関する情報とを、配電系統を含む地図と関連付けて記憶する系統データベースと、前記配電自動化設備による停電エリアを前記地図上に図示した、停電表示図を生成する表示図生成手段と、前記需要家がユーザ端末を介してアクセス可能なウェブサーバと、を備え、前記ウェブサーバは、前記ユーザ端末からの指令に応じて前記表示図生成手段で生成された前記停電表示図を前記ユーザ端末に表示するとともに、前記ユーザ端末によって前記地図上で指定された需要家宅が該ユーザ端末の需要家宅の場合に、前記系統データベースに基づいて該需要家宅に引き込んでいる電柱を前記地図上に示す、ことを特徴とする停電情報提供システムである。
【０００９】
この発明によれば、需要家がユーザ端末からウェブサーバにアクセスして指令すると、電柱を含む地図上に停電エリアを図示した停電表示図がユーザ端末に表示される。また、需要家がユーザ端末によって地図上で需要家宅を指定し、この需要家宅がこのユーザ端末の需要家宅の場合、つまり、需要家が自分の需要家宅を指定した場合、この需要家宅に引き込んでいる電柱が地図上に示される。
【００１０】
請求項２の発明は、請求項１に記載の停電情報提供システムにおいて、前記ウェブサーバは、前記ユーザ端末によって前記地図上で指定された電柱の識別情報を、前記系統データベースに基づいて前記ユーザ端末に表示する、ことを特徴とする。
【００１１】
請求項３の発明は、請求項２に記載の停電情報提供システムにおいて、前記ウェブサーバは、前記ユーザ端末に前記電柱の識別情報が表示された後に、前記ユーザ端末から該電柱に関する発見情報を受け入れ可能となっている、ことを特徴とする。
【００１２】
請求項４の発明は、請求項１から３に記載の停電情報提供システムにおいて、電力会社の供給側端末と通信可能な停電情報管理装置を備え、該停電情報管理装置は、前記供給側端末からの指令に応じて前記表示図生成手段で生成された前記停電表示図を前記供給側端末に表示するとともに、前記供給側端末によって前記地図上で指定された電柱から引き込まれている全需要家に関する情報を、前記系統データベースに基づいて前記供給側端末に表示する、ことを特徴とする。
【発明の効果】
【００１３】
請求項１の発明によれば、ユーザ端末からウェブサーバにアクセスすることで需要家は、電柱を含む地図上に停電エリアが図示された停電表示図を入手できるため、どの電柱が停電しているか、自宅が停電しているか、などを一目で的確に知得することが可能となる。また、需要家が地図上で自分の需要家宅を指定すると、この需要家宅に引き込んでいる電柱が地図上に示されるため、需要家は自宅に引き込んでいる電柱の場所を知ることができ、その電柱の状態を確認したり、異変が生じた場合に電力会社に連絡したりすることが可能となる。一方、他人の需要家宅を指定しても、その需要家宅に引き込んでいる電柱が地図上に示されないため、他人の情報を保護することが可能となる。このように、停電に関する情報などを電柱に関連付けて、より的確かつ迅速に提供、知得することが可能となる。
【００１４】
請求項２の発明によれば、需要家がユーザ端末から地図上の電柱を指定すると、その電柱の識別情報がユーザ端末に表示されるため、現地に行かなくても、各電柱の識別情報を容易かつ正確に知得することができる。そして、ある電柱の異変を発見した場合などに、その情報を電柱の識別情報とともに（電柱を正確に特定して）電力会社などに的確に連絡することが可能となる。
【００１５】
請求項３の発明によれば、ユーザ端末に電柱の識別情報が表示された後に、この電柱に関する発見情報をウェブサーバに送信可能なため、需要家が電柱の異変を発見した場合などに、その情報を電力会社などに的確かつ迅速に連絡することが可能となる。換言すると、電力会社などにおいて各電柱に関する状態、情報を的確かつ迅速に収集することが可能となる。
【００１６】
請求項４の発明によれば、電力会社の作業員などは、供給側端末から停電情報管理装置に指令することで、電柱を含む地図上に停電エリアが図示された停電表示図を入手できるため、どの電柱が停電しているか、どこの需要家宅が停電しているか、などをリアルタイムに一目で的確に知得することが可能となる。また、供給側端末によって地図上の電柱を指定すると、この電柱から引き込まれている全需要家に関する情報が供給側端末に表示されるため、対象の電柱や需要家を間違えることなく作業などを円滑に行うことが可能となる。
【図面の簡単な説明】
【００１７】
【図１】この発明の実施の形態に係る停電情報提供システムを示す概略構成図である。
【図２】図１の停電情報提供システムの停電情報管理装置を示す概略構成ブロック図である。
【図３】図２の停電情報管理装置から営業支援端末と作業者端末に提供される停電表示図の一例を示す図である。
【図４】図２の停電情報管理装置からウェブサーバを介してユーザ端末に提供される停電表示図の一例を示す図である。
【図５】図１の停電情報提供システムにおいて作業者端末で電柱が指定された場合の出力画面例を示す図である。
【図６】図１の停電情報提供システムにおいてユーザ端末で自宅が指定された場合、および電柱が指定された場合の出力画面例を示す図である。
【発明を実施するための形態】
【００１８】
以下、この発明を図示の実施の形態に基づいて説明する。
【００１９】
図１〜図６は、この発明の実施の形態を示し、図１は、この実施の形態に係る停電情報提供システム１を示す概略構成図である。この停電情報提供システム１は、停電に関する情報を需要家Ｕや作業者Ｗ等に提供するためのシステムであり、主として、配電自動化システム（配電自動化設備）２と、停電情報管理装置３と、営業支援端末（供給側端末）４と、作業者端末（供給側端末）５と、ウェブサーバ６と、ユーザ端末７と、を備え、停電情報管理装置３は、配電自動化システム２、営業支援端末４、作業者端末５およびウェブサーバ６と通信自在に接続されている。
【００２０】
配電自動化システム２は、配電線事故が発生した場合に、配電系統から停電エリアを切り離すシステムであり、電力会社などで広く導入されている配電自動化システムと同等の構成である。すなわち、例えば、配電自動化サーバ、配電遠制装置（遠方監視制御装置）、監視制御卓、系統計画卓（ワークステーション）などを備え、それぞれがＬＡＮ（Ｌｏｃａｌ  Ａｒｅａ  Ｎｅｔｗｏｒｋ）で接続されている。また、電柱Ｐに取り付けられた開閉器と配電遠制装置とが通信可能に接続され、さらに、複数の発電所を集中監視制御する総合制御所を介して、配電用変電所と配電遠制装置とが通信可能に接続されている。
【００２１】
そして、配電線の運用状態を常時監視し、例えば、配電線事故による停電が発生すると、開閉器を制御しながら停電を引き起こした事故区間を配電系統から切り離して、この事故区間つまり停電エリア以外の配電線への配電を行う。また、変電所事故（特高事故、瞬時電圧低下など）による停電が発生すると、停電が発生した停電エリアに対して周辺の配電線からの配電（自動逆送）を行ったりするものである。そして、このような動作とともに、停電エリアや停電発生時刻、復旧状況などを逐次、リアルタイムに停電情報管理装置３に送信するものである。
【００２２】
停電情報管理装置３は、停電に関する情報を管理、提供する電力会社のコンピュータであり、図２に示すように、主として、系統データベース３１と、表示図生成部（表示図生成手段）３２と、情報提供部３３と、これらを制御などする中央処理部３４と、を備える。
【００２３】
系統データベース３１は、各需要家Ｕに関する情報と、各需要家宅Ｃに引き込んでいる電柱Ｐに関する情報とを、配電系統を含む地図と関連付けて記憶するデータベースである。すなわち、図３、図５に示すように、地形に各需要家宅Ｃや各電柱Ｐ、各道路などの位置を表す地図上に各配電線の配設位置が表された地図である。そして、各需要家宅Ｃに対して、その需要家Ｕに関する情報、例えば、需要家名、電力会社との契約番号などが記憶されている。また、各電柱Ｐに対して、その電柱Ｐから引き込んでいる（引込線が接続されている）需要家宅Ｃが関連付けて記憶されている。すなわち、ある電柱Ｐからどの需要家宅Ｃに引き込んでいるか、ある需要家宅Ｃがどの電柱Ｐから引き込まれているかが知得できるように、電柱Ｐの電柱番号（識別情報）と需要家Ｕの契約番号（識別情報）とが、関連付けて記憶されている。
【００２４】
表示図生成部３２は、配電自動化システム２による停電エリアを地図上に図示した、停電表示図を生成するタスク・プログラムである。すなわち、停電が発生して配電自動化システム２から停電エリアを受信するたびに、この停電エリアを明示するように系統データベース３１の地図の該当箇所を加工して、最新・リアルタイムの停電表示図を生成するものである。この際、営業支援端末４と作業者端末５に提供される社内用の停電表示図と、ウェブサーバ６を介してユーザ端末７に提供されるユーザ用の停電表示図を生成する。
【００２５】
具体的に、社内用の停電表示図は、図３に示すように、系統データベース３１の地図中の配電線に対して加工を行うことで、停電エリアを明示する。例えば、停電していない配電線（図中実線）Ｌ１を第１の色で表示し、停電している配電線（図中破線）Ｌ２を第２の色で表示したり点滅表示したりする。ユーザ用の停電表示図は、図４に示すように、系統データベース３１の地図に停電エリア（図中斜線部）ＢＡの面を重ね合わせることで、停電エリアＢＡの範囲を明示する。例えば、停電している全需要家宅Ｃを覆うエリアＢＡの面、つまり、停電している配電線Ｌ２で影響を受けるエリアＢＡの面を、地図とは異なる色で表示したり点滅表示したりする。
【００２６】
ここで、図３、図４には、各需要家宅Ｃや各電柱Ｐ、各道路などを省略しているが、実際の停電表示図では図示されており、図３中の配電線Ｌ１、Ｌ２上の黒丸は、電柱Ｐを示す。また、両停電表示図は、拡大縮小が可能となっている。
【００２７】
情報提供部３３は、営業支援端末４と作業者端末５からの指令（要求）、または、ウェブサーバ６を介してのユーザ端末７からの指令に従って、各種情報を提供などするタスク・プログラムである。すなわち、第１に、営業支援端末４および作業者端末５から停電表示図を提供すべき指令を受信すると、表示図生成部３２で生成された社内用の停電表示図を営業支援端末４および作業者端末５に送信し、これにより、営業支援端末４および作業者端末５に社内用の停電表示図が表示される。
【００２８】
第２に、営業支援端末４および作業者端末５から、特定の電柱Ｐから引き込まれている全需要家Ｕに関する情報を求める指令を受信すると、系統データベース３１からこの情報を取得して、この情報が地図上に含まれた画像を営業支援端末４および作業者端末５に送信する。これにより、この画像が営業支援端末４および作業者端末５に表示される。例えば、図５に示すように、電柱Ｐ１から引き込まれている全需要家１、２…の需要家名を表示し、その需要家宅Ｃ１を彩色（強調表示）した画像が表示される。
【００２９】
第３に、ウェブサーバ６つまりユーザ端末７から停電表示図を提供すべき指令を受信すると、表示図生成部３２で生成されたユーザ用の停電表示図をユーザ端末７に送信し、これにより、ユーザ端末７にユーザ用の停電表示図が表示される。
【００３０】
第４に、ユーザ端末７から、特定の需要家宅Ｃに引き込んでいる電柱Ｐを表示すべき指令（ユーザ端末７つまり需要家Ｕの識別情報を含む）を受信すると、まず、特定の需要家宅Ｃがこのユーザ端末７の需要家宅Ｃであるか否か、つまり、自宅を指定しているか否かを系統データベース３１に従って判断する。そして、自宅を指定していない場合には、電柱Ｐを表示できない旨をユーザ端末７に返信し、自宅を指定している場合は、系統データベース３１からこの自宅に引き込んでいる電柱Ｐの情報を取得し、地図上で電柱Ｐが強調表示された画像をユーザ端末７に送信する。例えば、図６に示すように、自宅Ｃ２に引き込んでいる電柱Ｐ２を点滅表示し、その電柱番号や配電状況（停電の有無）を表示するとともに、「情報提供」ボタンを表示した画像を送信し、この画像がユーザ端末７に表示される。
【００３１】
第５に、ユーザ端末７から、特定の電柱Ｐの識別情報を表示すべき指令を受信すると、この電柱Ｐの電柱番号を系統データベース３１から取得して、この電柱番号が地図上に示された画像をユーザ端末７に送信する。例えば、図６に示すように、指定された電柱Ｐ３の電柱番号と「情報提供」ボタンを表示した画像を送信し、この画像がユーザ端末７に表示される。さらに、この電柱Ｐから引き込んでいる需要家Ｕからの指令の場合、つまり、需要家Ｕが自宅に引き込んでいる電柱Ｐを指定した場合には、その需要家Ｕの需要家名が画像に含まれる。
【００３２】
第６に、ユーザ端末７から特定の電柱Ｐに関する発見情報を受信すると、この発見情報を電柱Ｐの電柱番号とともに記憶する。すなわち、ユーザ端末７で「情報提供」ボタンが選択されると、発見情報を入力可能な画面がウェブサーバ６によってユーザ端末７に表示され、発見情報が入力されて「送信」ボタンが選択されると、発見情報が電柱番号や需要家Ｕの識別情報とともに停電情報管理装置３に送信される。これを受けて発見情報と需要家Ｕの識別情報を電柱番号と関連付けて、停電情報管理装置３または別の装置に記憶する。ここで、発見情報とは、需要家Ｕが発見した電柱Ｐに関する情報であり、例えば、電柱Ｐに鳥の巣がある、電柱Ｐからの引込線が断線しそうである、などの情報が含まれる。
【００３３】
営業支援端末４は、例えば、電力会社のコールセンタに設置されるコンピュータであり、この営業支援端末４を操作しながらオペレータが需要家Ｕからの問い合わせなどに対応するものである。この営業支援端末４は、停電情報管理装置３に対して情報、画像などを要求する指令を送信可能となっている。まず、オペレータによって所定の画面で所定の操作が行われると、停電表示図を要求する指令を送信する。また、図５に示すように、オペレータによって所定の画面で地図上の特定の電柱Ｐが指定されると、この電柱Ｐから引き込まれている全需要家Ｕに関する情報を求める指令を送信する。そして、これらの指令送信後に受信した社内用の停電表示図や画像が、営業支援端末４に表示される。ここで、電柱Ｐを指定できる地図は、停電表示図であってもよいし他の地図でもよい。
【００３４】
作業者端末５は、例えば、電力会社の作業者Ｗが所持する携帯通信端末であり、停電情報管理装置３に対して情報、画像などを要求する指令を送信可能となっている。すなわち、営業支援端末４と同様に、作業者Ｗが所定の画面で所定の操作を行うことで、停電表示図を要求する指令や、電柱Ｐから引き込まれている全需要家Ｕに関する情報を求める指令を送信し、その後に受信した社内用の停電表示図や画像が表示される。
【００３５】
ウェブサーバ６は、需要家Ｕがユーザ端末７を介してアクセス可能な電力会社のサーバであり、需要家Ｕがアクセスして予め登録されたＩＤとパスワードが入力されると、各種のサービスメニューをユーザ端末７に表示する。ここで、ウェブサーバ６は、ＩＤと関連づけて需要家Ｕの識別情報などを記憶しており、ユーザ端末７がどの需要家Ｕによって操作されているかを認識できるようになっている。
【００３６】
そして、サービスメニューのなかの特定のメニューが選択されて所定の操作が行われると、ユーザ端末７に対して情報、画像などを提供する。第１に、ユーザ端末７によって所定の画面で所定の操作が行われると、停電表示図を要求する指令を停電情報管理装置３に送信し、停電情報管理装置３から受信したユーザ用の停電表示図をユーザ端末７に表示させる。この際、ユーザ端末７で地域を特定して停電表示図を要求できるようにしてもよい。
【００３７】
第２に、図６に示すように、ユーザ端末７によって所定の画面の地図上で特定の需要家宅（自宅）Ｃ２が指定されると、この需要家宅Ｃ２に引き込んでいる電柱Ｐ２を表示すべき指令を停電情報管理装置３に送信する。この際、需要家宅Ｃ２を識別する情報（画面上の位置情報等）を付帯して送信する。そして、上記のように、電柱Ｐ２の情報が地図上に示された画像を停電情報管理装置３から受信して、ユーザ端末７に表示させる。ここで、需要家宅Ｃ２を指定できる地図は、停電表示図であってもよいし他の地図でもよい。
【００３８】
第３に、図６に示すように、ユーザ端末７によって所定の画面の地図上で電柱Ｐ３が指定されると、この電柱Ｐ３の識別情報を表示すべき指令を停電情報管理装置３に送信する。この際、電柱Ｐ３を識別する情報（画面上の位置情報等）を付帯して送信する。そして、上記のように、この電柱Ｐ３の電柱番号が地図上に示された画像を停電情報管理装置３から受信して、ユーザ端末７に表示させる。ここで、電柱Ｐ３を指定できる地図は、停電表示図であってもよいし他の地図でもよい。また、上記のように、需要家Ｕが自宅に引き込んでいる電柱Ｐを指定した場合には、その需要家Ｕの需要家名を含む画像をユーザ端末７に表示させる。
【００３９】
第４に、発見情報を入力可能な画面状態において、ユーザ端末７から電柱Ｐに関する発見情報を受信すると、この発見情報を停電情報管理装置３に送信する。このとき、電柱Ｐを識別する情報（電柱番号等）や需要家Ｕの識別情報を付帯して送信する。
【００４０】
ユーザ端末７は、需要家Ｕが操作する通信端末で、パーソナルコンピュータやスマートフォン（多機能携帯端末）などを含み、インターネットＮＷを介してウェブサーバ６などと通信自在となっている。
【００４１】
このように、この停電情報提供システム１によれば、ユーザ端末７からウェブサーバ６にアクセスすることで需要家Ｕは、図４に示すように、電柱Ｐを含む地図上に停電エリアＢＡが図示されたユーザ用の停電表示図を入手できる。このため、どの電柱Ｐが停電しているか、自宅が停電しているか、などを一目で的確に知得することが可能となる。
【００４２】
また、図６に示すように、需要家Ｕが地図上で自分の需要家宅Ｃ２を指定すると、この需要家宅Ｃ２に引き込んでいる電柱Ｐ２の電柱番号などが地図上に示されるため、需要家Ｕは自宅に引き込んでいる電柱Ｐ２の場所を知ることができ、その電柱Ｐ２の状態を確認したり、異変が生じた場合に電力会社に連絡したりすることが可能となる。一方、他人の需要家宅Ｃを指定しても、その需要家宅Ｃに引き込んでいる電柱Ｐが地図上に示されないため、他人の情報を保護することが可能となる。
【００４３】
さらに、需要家Ｕがユーザ端末７から地図上の電柱Ｐを指定すると、その電柱Ｐの電柱番号がユーザ端末７に表示されるため、現地に行かなくても、各電柱Ｐの電柱番号を容易かつ正確に知得することができる。そして、ある電柱Ｐの異変を発見した場合などに、その情報を電柱Ｐの識別情報とともに（電柱Ｐを正確に特定して）電力会社などに的確に連絡することが可能となる。
【００４４】
また、ユーザ端末７に電柱Ｐの電柱番号が表示された後に、需要家Ｕが「情報提供」ボタンを選択して発見情報を入力することで、ウェブサーバ６を介して発見情報を停電情報管理装置３に送信可能なため、需要家Ｕが電柱Ｐの異変を発見した場合などに、その情報を電力会社などに的確かつ迅速に連絡することが可能となる。換言すると、電力会社などにおいて各電柱Ｐに関する状態、情報を的確かつ迅速に収集することが可能となる。
【００４５】
一方、コールセンタのオペレータや電力会社の作業員Ｗなどは、営業支援端末４や作業者端末５で所定の操作を行って停電情報管理装置３に指令することで、図３に示すように、電柱Ｐを含む地図上に停電エリアが図示された社内用の停電表示図を入手できる。このため、どの電柱Ｐが停電しているか、どこの需要家宅Ｃが停電しているか、などをリアルタイムに一目で的確に知得することが可能となる。しかも、停電していない配電線Ｌ１と停電している配電線Ｌ２とが異なる色や表示方法で表示されるため、停電している配電線Ｌ２を一目でより的確に知得することが可能となる。
【００４６】
また、営業支援端末４や作業者端末５で地図上の電柱Ｐを指定すると、図５に示すように、この電柱Ｐから引き込まれている全需要家Ｕに関する情報が作業者端末５などに表示されるため、対象の電柱Ｐや需要家Ｕを間違えることなく作業などを円滑に行うことが可能となる。しかも、該当する需要家Ｕの需要家宅Ｃが彩色等で強調表示されるため、対象の需要家宅Ｃをより正確に把握することができる。
【００４７】
このように、この停電情報提供システム１によれば、停電に関する情報などを電柱Ｐに関連付けて、より的確かつ迅速に提供、知得することが可能となる。
【００４８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、系統データベース３１と表示図生成部３２を停電情報管理装置３に備えているが、ウェブサーバ６などに備えてもよい。同様に、情報提供部３３を停電情報管理装置３に備えずに、ウェブサーバ６などにおいて各種画像等を生成してユーザ端末７などに提供してもよい。
【符号の説明】
【００４９】
１        停電情報提供システム
２        配電自動化システム（配電自動化設備）
３        停電情報管理装置
３１      系統データベース
３２      表示図生成部（表示図生成手段）
３３      情報提供部
４        営業支援端末（供給側端末）
５        作業者端末（供給側端末）
６        ウェブサーバ
７        ユーザ端末
Ｕ        需要家
Ｗ        作業者
Ｐ        電柱
Ｃ        需要家宅
ＮＷ      インターネット
【図１】
2019087201.tif 000003
【図２】
2019087201.tif 000004
【図３】
2019087201.tif 000005
【図４】
2019087201.tif 000006
【図５】
2019087201.tif 000007
【図６】
2019087201.tif 000008